(57)【要約】【課題】空間効率性を高めることができ、より安定した状態のテント設置が可能であり、美観上においても一層素晴しいテントを演出することができるテントを提供する。【解決手段】テントの外部屋根部一側に裁縫形成された一方の固定バンドに一方のアイレットを結合し、テントの外部屋根部他側には、他方の固定バンドを裁縫形成し、他方の固定バンドにバックルの一側部を結合した後、バックルの他側父老調節バンドを連結して、長さ調節が可能なように調節バンドの結合部には他方のアイレットを結合し、他方のアイレットと一方のアイレットとで棟木の両側のチップを結合し、調節バンドの結合部に保持部が延長形成され、棟木の他方のチップを包み、保持するように大型テント用棟木の緊張力保持装置を提供する。【選択図】図２
2014224442.tif 000002
【特許請求の範囲】
【請求項１】
テントの外部屋根部の一側に裁縫形成された一方の固定バンドに結合される一方のアイレットと、
前記テントの外部屋根部の他側に裁縫形成される他方の固定バンドと、
前記他方の固定バンドに一側部を結合しているバックルと、
前記バックルの他側部の長さを調節可能に連結される調節バンドと、
前記調節バンドの結合部に結合される他方のアイレットと、
前記他方のアイレットと前記一方のアイレットとで両側のチップを結合している棟木と、
前記棟木の他方のチップを保持するために、前記調節バンドの結合部に延長形成され、前記棟木の他方のチップを包み、保持する保持部と、
を備えたことを特徴とする大型テント用棟木の緊張力保持装置。
【請求項２】
前記棟木が安定した状態で設けられるように、前記テントの屋根部に裁縫形成され、前記棟木を内挿し、保持するスリーブと、
前記スリーブの両側に一定の間隔で前記テントの屋根部に裁縫形成され、前記棟木の両側を包み、保持する両側のベルクロテープと、
を更に備えたことを特徴とする請求項１に記載の大型テント用棟木の緊張力保持装置。
【発明の詳細な説明】
【技術分野】
【０００１】
本発明は、大型テントに関し、特に、テントの外部屋根部の一側に裁縫形成された一方の固定バンドに、一方のアイレットを結合し、テントの外部屋根部の他側には他方の固定バンドを裁縫形成して、他方の固定バンドにバックルの一側部を結合した後、バックルの他側部に調節バンドを連結し、長さ調節が可能なように調節バンドの結合部には他方のアイレットを結合し、他方のアイレットと一方のアイレットで棟木の両側のチップを結合し、調節バンドの結合部に保持部が延長形成され、棟木の他方のチップを包み、保持する大型テントに関する。
【０００２】
また、調節バンドの引っ張る力により結合部の他方のアイレットと一方の固定バンドの一方のアイレットで両側のチップを結合している棟木を撓ませ、弾力を与えることで、棟木の弾力でテントを上方に引っ張る作用により、張った緊張力を有したテントを演出することができ、広くなった室内空間により、空間効率性を高めることができ、テントの外部で屋根部の一側と他側に裁縫形成された一方のアイレット及び他方のアイレットに棟木を結合しているため、テント設置作業がより簡単になり、より安定した状態のテント設置が可能であり、テントの外部屋根部に設けられる棟木の弾力により、テントの全方向が上側棟木方向に引っ張られる状態になるため、テントが張った緊張力を保持しながら、設置されるので、美観上でも一層素晴しいテントを演出することができる大型テント用棟木の緊張力保持装置に関するものである。
【背景技術】
【０００３】
従来の大型テントに設けられる棟木は、テントの内部に形成されていた。
【０００４】
即ち、上記テント内部の天井両側に裁縫形成された固定バンドのアイレットで棟木の両側に結合されたチップを結合し、骨組されている構成である。
【０００５】
上述のような従来の棟木は、テント内部に形成され、主に、テントの骨格を保持する役割のみで使用されてきており、テントの全方向に亘って弾力を与えるような機能は有していなかった。
【０００６】
従って、上記テントの内部に棟木を設けても、張った緊張力がないため、テントの随所に皺になることがあった。これは、テントの室内空間を縮小させる結果につながるため、空間効率性が低下される問題点を有していた。
【０００７】
また、上述のように、粗末なテントの設置により、安定、且つ堅固した状態のテントを得ることはできなく、美観上でも良くない問題点などを有していた。
【０００８】
従って、上記の棟木は、上記のような問題点により、大型テントには使用されていず、小型テントに限定的に使われている実状である。
【発明の概要】
【発明が解決しようとする課題】
【０００９】
このような従来の問題点などを解決補完するための本発明の目的は、
調節バンドの引っ張る力により結合部の他方のアイレットと一方の固定バンドの一方のアイレットで両側のチップを結合している棟木を撓ませ、弾力を与えることで、棟木の弾力でテントを上方に引っ張る作用により、張った緊張力を有したテントを演出することができ、広くなった室内空間により、空間効率性を高めることができ、テントの外部で屋根部一側と他側に裁縫形成された一方のアイレット及び他方のアイレットに棟木を結合しているため、テント設置作業がより簡単になり、より安定した状態のテント設置が可能であり、テント外部の屋根部に設けられる棟木の弾力により、テントの全方向が上側棟木方向に引っ張られる状態になるので、テントが、張った緊張力を保持しながら設置できるので、美観上においても一層素晴しいテントを演出することができるようにすることにある。
【課題を解決するための手段】
【００１０】
上記の目的を達成するために本発明は、
テントの外部屋根部一側に裁縫形成された一方の固定バンドに一方のアイレットを結合し、テントの外部屋根部他側には、他方の固定バンドを裁縫形成し、他方の固定バンドにバックルの一側部を結合した後、バックルの他側部が調節バンドを連結し、長さ調節が可能なように調節バンドの結合部には他方のアイレットを結合し、他方のアイレットと一方のアイレットで棟木の両側のチップを結合し、調節バンドの結合部に保持部が延長形成され、棟木の他方のチップを包み、保持するようにすれば、本発明の目的を達成することができる。
【発明の効果】
【００１１】
本発明は、調節バンドの引っ張る力により結合部の他方のアイレットと一方の固定バンドの一方のアイレットで両側のチップを結合している棟木を撓ませ、弾力を与えることで、棟木の弾力でテントを上方に引っ張る作用により、張った緊張力を有したテントを演出することができ、広くなった室内空間により空間効率性を高めることができる効果を奏する。
【００１２】
また、本発明は、テントの外部で屋根部一側と他側に裁縫形成された一方のアイレット及び他方のアイレットに棟木を結合しているため、テント設置作業が非常に簡単になり、より安定した状態のテント設置が可能な効果を奏する。
【００１３】
更に、本発明は、テントの外部屋根部に設けられる棟木の弾力により、テントの全方向が上側棟木方向に引っ張られる状態になるため、テントが、張った緊張力を保持しながら設置できるので、美観上においても一層素晴しいテントを演出することができる有用な効果を奏する。
【図面の簡単な説明】
【００１４】
【図１】本発明に係る大型テント用棟木の緊張力保持装置の構成を示す図である。
【図２】本発明に係る大型テント用棟木の緊張力保持装置の作用を示す図である。
【図３】本発明に係る棟木の一方のチップと一方のアイレットの結合状態を示す図である。
【図４】本発明に係る棟木の他方のチップと他方のアイレットの結合状態を示す図である。
【図５】本発明に係る調節バンド及び棟木の作用を説明するために示す図である。
【発明を実施するための最良の形態】
【００１５】
本発明の構成を添付図面により詳細に説明する。
【００１６】
テント１０１の外部屋根部の一側に裁縫形成された一方の固定バンド１０４に結合される一方のアイレット１０５と、
上記テント１０１の外部屋根部他側に裁縫形成される他方の固定バンド１０６と、
上記他方の固定バンド１０６に一側部を結合しているバックル１２１と、
上記バックル１２１の他側部に、長さ調節が可能なように連結される調節バンド１２２と、
上記調節バンド１２２の結合部１２３に結合される他方のアイレット１２５と、
上記他方のアイレット１２５と一方のアイレット１０５で両側のチップを結合している棟木１１１と、
上記棟木１１１の他側のチップ１１２を保持するために調節バンド１２２の結合部１２３に延長形成され、棟木１１１の他側のチップ１１２を包み、保持する保持部１２４を備えた構成である。
【００１７】
また、上記棟木１１１が安定した状態で設けられるようにテント１０１の屋根部に裁縫形成され、棟木１１１を内挿し、保持しているスリーブ１０２と、
上記スリーブ１０２両側に一定の間隔でテント１０１の屋根部に裁縫形成され、棟木１１１の両側を包み、保持する両側のベルクロテープ１０３を更に備えた。
【００１８】
以下、本発明の作用を説明する。
【００１９】
図１は、本発明に係る大型テント用棟木の緊張力保持装置の構成を説明する図であり、テント１０１の外部の屋根部に裁縫形成されたスリーブ１０２の他側方向に棟木１１１一側部に結合されたチップ１１２を嵌め込み、スリーブ１０２を貫通結合することによって、一方のチップ１１２をスリーブ１０２の一側部に露出させる。
【００２０】
そして、上記スリーブ１０２の一側部に露出された棟木１１１の一方のチップ１１２をテント１０１外部屋根部の一側部に裁縫形成された一方の固定バンド１０４の一方のアイレット１０５に、図３に示されるように結合する。
【００２１】
また、上記棟木１１１の一方のチップ１１２を結合した後、棟木１１１の他側部に結合された他方のチップ１１２は、テント１０１の外部屋根部に裁縫形成された他方の固定バンド１０６とバックル１２１とで連結されている調節バンド１２２の結合部１２３に結合された他方のアイレット１２５に、図４に示されるように結合する。
【００２２】
上述のように、棟木１１１の他方のチップ１１２が他方のアイレット１２５に結合完了すれば、他方のチップ１１２は結合部１２３に延長形成されている保持部１２４により保持される。
【００２３】
そして、上記スリーブ１０２の両側と一定の間隔でテント１０１屋根部の両側に裁縫形成されるベルクロテープ１０３は棟木１０３を囲んで固定されるため、棟木１０３が自回転したり、流動したりすることを防止する。
【００２４】
上述のように、テント１０１の外部で屋根部の一側と他側に裁縫形成された一方のアイレット１０５及び他方のアイレット１２５に、棟木１１１を結合しているため、テント１０１の設置作業がより簡単になり、更に安定した状態のテント１０１設置が可能になる。
【００２５】
上述のように、テント１０１の外部屋根部に、棟木１１１の設置が完了された状態で、図５に示されるように、調節バンド１２２を矢印方向に引っ張ると、調節バンド１２２がバックル１２１との相互作用により下方に下降しながら、結合部１２３と保持部１２４を下方に引っ張るようになる。
【００２６】
また、上記調節バンド１２２結合部１２３の他方のアイレット１２５で結合された棟木１１１の他方のチップ１１２は、結合部１２３の引っ張る力が棟木１１１へ伝達され、次いで、該力は相手側の一方のチップ１１２にまで及ぶことになる。
【００２７】
従って、上記調節バンド１２２の引っ張る力により、結合部１２３の他方のアイレット１２５と一方の固定バンド１０４の一方のアイレット１０５に、両側のチップ１１２を結合している棟木１１１が、図２に示されるように、中央部が上方にアーチ状に撓む状態になる。
【００２８】
上述のように、調節バンド１２２の引っ張る力により、結合部１２３の他方のアイレット１２５と一方の固定バンド１０４の一方のアイレット１０５で両側のチップ１１２を結合している棟木１１１を撓ませ、弾力を与えることで、棟木１１１の弾力でテント１０１が上方に引っ張られる作用により、張った緊張力を有したテント１０１を演出することができ、より広くなった室内空間により空間効率性を高めることができるものである。
【００２９】
また、上記調節バンド１２２をバックル１２１との相互作用により、その長さを小さくすると、結合部１２３が伸び、棟木１１１が弛緩され、図１に示されるように、元の位置に戻るので、テント１０１の解体作業も簡単になる。
【符号の説明】
【００３０】
１０１  テント
１０２  スリーブ
１０３  ベルクロテープ
１０４  一方の固定バンド
１０５  一方のアイレット
１０６  他方の固定バンド
１１１  棟木
１１２  チップ
１２１  バックル
１２２  調節バンド
１２３  結合部
１２４  保持部
１２５  他方のアイレット。
【図１】
2014224442.tif 000003
【図２】
2014224442.tif 000004
【図３】
2014224442.tif 000005
【図４】
2014224442.tif 000006
【図５】
2014224442.tif 000007